(57)【要約】【課題】  医療従事者が呼び出しを行っていない患者の病室へ適切に訪問することで、患者へのケアを充実させる。【解決手段】  呼出信号の入力でタイマー１３を動作させ、タイマー１３の計測時間が所定の時間となっても呼出信号が入力されない場合、看護計画情報により患者が病室に居ると判断されたときには、親機制御部１１は、擬似呼出信号による報知を行わせ、タイマー１３をリセットする。一方、患者が病室に居ないと判断されたときには、報知を行わせず、タイマー１３をリセットする。これにより、患者による呼び出しが行われない場合でも、患者が病室に居るときには擬似的な呼び出しが行われるので、医療従事者は、患者の病室を訪問することで、患者へのケアを充実させることができる。また、患者による呼び出しが行われない場合に、患者が病室に居ないときには擬似的な呼び出しが行われないので、医療従事者が病室を無駄に訪問することが無くなる。【選択図】        図２
2009285299.tif 000002
【特許請求の範囲】
【請求項１】
医療従事者を呼び出すために患者によって操作される呼出操作部と、
前記呼出操作部の操作により、前記患者を識別するための識別情報を含む呼出信号を生成する呼出信号生成部と、
時間を計測するタイマーと、
前記呼出信号を入力した場合に、前記タイマーによる時間の計測を開始させる呼出特定部と、
前記タイマーにより計測された時間が所定の時間となるまでに、前記呼出特定部が前記呼出信号を入力したか否かを判定する呼出判定部と、
前記患者からの呼び出しがあったものとして、前記識別情報を含む擬似呼出信号を生成する擬似呼出信号生成部と、
前記呼出信号または前記擬似呼出信号を入力することにより呼び出しを報知する報知部と、
前記患者に関する看護計画を示す看護計画情報を入力し、前記看護計画情報に基づいて前記患者が前記呼出操作部の近傍に居るか否かを判定する患者状態判定部と、
現在時刻を示す現在時刻情報を生成する時計部と、
前記タイマーにより計測された時間が所定の時間となるまでに、前記呼出特定部が前記呼出信号を入力していないと前記呼出判定部にて判断した場合に、前記時計部から前記現在時刻情報を取得し、その時刻に前記患者が前記呼出操作部の近傍に居ると前記患者状態判定部にて判断したときには、前記擬似呼出信号生成部を動作させ、前記タイマーにより計測された時間が所定の時間となるまでに、前記呼出特定部が前記呼出信号を入力していないと前記呼出判定部にて判断した場合に、前記時計部から前記現在時刻情報を取得し、その時刻に前記患者が前記呼出操作部の近傍に居ないと前記患者状態判定部にて判断したときには、前記擬似呼出信号生成部を動作させないようにするとともに、前記タイマーによる時間の計測をリセットする制御部と、
を備えたことを特徴とするナースコールシステム。
【発明の詳細な説明】
【技術分野】
【０００１】
本発明は、ナースコールシステムに関し、特に、あまり呼び出しを行わない患者に対しても医療従事者が適切に対応できるようにしたナースコールシステムに関する。
【背景技術】
【０００２】
一般に、病院や介護施設などでは、ナースコールシステムが用いられている。ナースコールシステムは、病院の患者が看護師のサポートを必要とする際、または、介護施設の被介護者が介護師のサポートを必要とする際に、患者や被介護者（以下、単に患者と記載する）が呼出操作部などを操作することによって看護師や介護師（以下、医療従事者と記載する）を呼び出すことができるように成されたシステムである。
【０００３】
多くのナースコールシステムは、ベッドサイドなどに設置されるナースコール子機と、医療従事者が常駐するナースセンタに設置されるナースコール親機と、病室や介護室等の各部屋の出入口付近に設置する廊下灯と、通話やデータの送受信に関する制御を行う制御機とを備えて構成されている。また、医療従事者が携帯するＰＨＳ（Personal Handyphone System）端末とＰＢＸ（Private Branch Exchange：電話交換機）とを組み合わせて移動中の医療従事者が呼び出しに応答するナースコールシステムも提供されている。
【０００４】
ナースコール親機には、ＬＥＤ（light-emitting diode）などのランプと患者名とを対応付けて表示パネルに表示するボード型のものがある。このボード型のナースコール親機では、患者からの呼び出しが発生すると、その患者に対応するランプを点灯させて呼び出しを行った患者を視認できるようにしている。また、ナースコール親機には、パソコンを利用したものもある。このパソコンを利用したナースコール親機では、ディスプレイ上に患者名を実際のベッドの配置と同じようにレイアウトして表示する。そして、患者からの呼び出しが行われたときに、その患者に対応する部分を強調して表示（例えば、ポップアップ表示など）することにより、どの患者が呼び出しを行ったかを視認できるようにしている。
【０００５】
ところで、所定時間内に呼び出しを行っていない患者（換言すると、呼び出しの頻度が少ない患者）を視覚的に表示する技術が知られている（例えば、特許文献１など）。特許文献１によれば、呼び出しの頻度が少ない患者の病室に医療従事者が行くことで、全ての患者へのケアを充実させることができる。
【特許文献１】特開２００８−８６３８６号公報
【０００６】
しかしながら、呼び出しの頻度が少ない患者の病室に医療従事者が行った場合に、その病室に患者が居ないときには、医療従事者の行動が無駄になってしまうとともに、医療従事者は患者へのケアを充実させることができなくなってしまうという問題があった。
【発明の開示】
【発明が解決しようとする課題】
【０００７】
本発明は、このような問題を解決するために成されたものであり、医療従事者が呼び出しを行っていない患者の病室へ適切に訪問することで、患者へのケアを充実させることを目的とする。
【課題を解決するための手段】
【０００８】
上述した課題を解決するために、本発明では、患者が呼び出しを行ってからタイマーによる時間の計測を開始し、タイマーにより計測された時間が所定の時間となっても次の呼び出しが行われなかった場合に、看護計画によって患者が病室に居ると判断されたときには擬似的な呼び出しを行い、看護計画によって患者が病室に居ないと判断されたときには擬似的な呼び出しを行わないようにするとともに、タイマーによる時間の計測をリセットするようにしている。
【発明の効果】
【０００９】
上記のように構成した本発明によれば、患者による呼び出しが行われない場合でも、患者が病室に居るときには擬似的な呼び出しが行われるので、医療従事者は、呼び出しを行っていない患者の病室を訪問することで、患者へのケアを充実させることができる。また、患者による呼び出しが行われない場合に、患者が病室に居ないときには擬似的な呼び出しが行われないので、医療従事者が病室を無駄に訪問することが無くなる。
【発明を実施するための最良の形態】
【００１０】
以下、本発明の一実施形態を図面に基づいて説明する。図１は、本実施形態によるナースコールシステムの構成例を示すブロック図である。図１に示すように、本実施形態によるナースコールシステムは、ナースコール親機１、制御機２、廊下灯３、壁埋込形子機４ａ、ハンド形子機４ｂ（壁埋込形子機４ａおよびハンド形子機５ｂによりナースコール子機４を構成する）を備えて構成されている。
【００１１】
ナースコール親機１は、例えば、医療従事者が常駐するナースセンターなどに設置される。また、ナースコール親機１は、ハンドセット１ａを備えている。ハンドセット１ａは、患者からの呼び出し（ナースコール子機４による呼び出し）に対する応答の操作または患者（ナースコール子機４）を呼び出す操作を行うためのものである。また、ナースコール親機１は、パソコンを利用したものである。このナースコール親機１では、ディスプレイ上に患者名を実際のベッドの配置と同じようにレイアウトして表示する。そして、患者からの呼び出しが行われたときに、その患者に対応する部分を強調して表示することにより、どの患者が呼び出しを行ったかを視認できるようにしている。
【００１２】
制御機２は、通話やデータの送受信に関する制御を行う。廊下灯３は、病室の出入口の近傍の壁面などに病室毎に設置され、病室内の患者名などを表示する。また、廊下灯３は、病室内の患者が医療従事者の呼び出しを行うと、呼び出しが行われたことを表示する。また、廊下灯３は、病室内の患者が医療従事者の呼び出しを行った場合に、医療従事者により応答操作され呼び出しの表示を解除する復旧ボタン（図示せず）を備えている。
【００１３】
壁埋込形子機４ａは、病室の各患者のベッドサイドの壁面に埋め込まれており、廊下灯３に接続されている。また、壁埋込形子機４ａは、医療従事者が緊急時に他の看護師などを呼び出すための呼び出しボタン、患者が医療従事者を呼び出したときに、看護師が操作して元の状態に戻すための復旧ボタン、ハンド形子機４ｂを接続するためのコンセントを備えている。また、壁埋込形子機４ａは、患者が医療従事者と会話を行う際に使用するマイクおよびスピーカを必要に応じて備える。
【００１４】
ハンド形子機４ｂは、病室の各患者が手元で呼び出し操作や通話ができるように壁埋込形子機４ａのコンセントに接続されている。ハンド形子機４ｂは、患者が医療従事者を呼び出すための呼出操作部６、患者が医療従事者と会話を行う際に使用するマイクおよびスピーカ（ともに図示せず）を備えている。
【００１５】
次に、ナースコール親機１およびナースコール子機４の構成について説明する。図２は、本実施携帯によるナースコールシステムの要部の構成例を示すブロック図である。図２に示すように、ナースコール子機４は、子機制御部５、呼出操作部６、呼出信号生成部７、子機インターフェース８を備えて構成されている。また、ナースコール親機１は、親機制御部１１（特許請求の範囲の制御部に該当する）、親機インターフェース１２、タイマー１３、呼出特定部１４、呼出判定部１５、擬似呼出信号生成部１６、報知部１７、患者状態判定部１８、時計部１９を備えて構成されている。
【００１６】
呼出操作部６は、患者などにより操作され、一般的にボタン状に形成される。呼出信号生成部７は、呼出操作部６の操作により呼出信号を生成する。ここで、呼出信号には、ナースコール子機４を識別するための子機識別情報（特許請求の範囲の識別情報）が含まれている。この子機識別情報により呼び出しを行った患者を特定することができる。
【００１７】
子機インターフェース８は、廊下灯３および制御機２を介してナースコール親機１０の親機インターフェース１２を接続する。子機制御部５は、子機インターフェース８によりナースコール親機１０との間で通話やデータの送受信を行う。患者が呼出操作部６を操作すると、子機制御部５は、呼出信号生成部７を制御して呼出信号を生成させる。そして、子機制御部５は、呼出信号生成部７にて生成された呼出信号を子機インターフェース８によりナースコール親機１０へ出力する。
【００１８】
親機制御部１１は、ナースコール親機１０の各構成要素を後述するように制御する。親機インターフェース１２は、制御機２および廊下灯３を介してナースコール子機４の子機インターフェース８を接続する。親機制御部１１は、親機インターフェース１２によりナースコール子機４との間で通話やデータの送受信を行う。また、親機インターフェース１２は、看護計画情報を入力する。ここで、看護計画情報は、各患者に行われる看護の計画を示すものであり、各患者に実施される看護の内容や実施される日時などの情報により構成される。また、看護計画情報は、医師によるオーダを入力するオーダ用パソコンや看護支援を行うための看護支援用パソコンなどに蓄積されている。また、看護計画情報には、患者に対して検査が行われることや患者に対して手術が行われることなどの情報が含まれる。
【００１９】
タイマー１３は、時間を計測するものである。呼出特定部１４は、親機インターフェース１２および親機制御部１１を介して呼出信号を入力する。そして、呼出特定部１４が呼出信号を入力した場合に、呼出特定部１４は、タイマー１３を動作させ、時間の計測を開始させる。また、呼出特定部１４は、タイマー１３が既に時間の計測を行っている状態で呼出信号を入力すると、タイマー１３をリセットする。
【００２０】
呼出判定部１５は、タイマー１３により計測された時間が所定の時間となるまでに、呼出特定部１４が再び呼出信号を入力したか否かを判定する。ここで、所定の時間を示す情報は、図示しない記憶部に予め記憶されている。なお、前述した所定の時間を患者毎に異なる長さにしても良い。例えば、容態が重い患者の所定の時間よりも容態が軽い患者の所定の時間を長くするようにしても良い。
【００２１】
擬似呼出信号生成部１６は、患者からの呼び出しがあったものとして、擬似的な呼出信号である擬似呼出信号を生成する。ここで、擬似呼出信号には前述した子機識別情報が含まれる。
【００２２】
報知部１７は、ナースコール子機４から入力した呼出信号および擬似呼出信号生成部１６により生成された擬似呼出信号によって、患者からの呼び出しを報知するためのものである。具体的には、ＬＥＤ（Light Emitting Diode）などの発光装置やスピーカなどの音声出力装置を使用する。ここで、報知部１８は、呼出信号による呼び出しと擬似呼出信号による呼び出しとで異なる方法で報知を行う。例えば、ＬＥＤの発光状態を点灯および点滅の二種類とすること、スピーカから出力される音声を二種類とすることなどによって異なる方法の報知を実現する。
【００２３】
患者状態判定部１８は、親機インターフェース１２が入力した看護計画情報を解析し、患者が病室に居るか否か（換言すると、患者がナースコール子機４の近傍に居るか否か）を判定する。ここで、看護計画情報のうち、患者に対して検査が行われることを示す情報や患者に対して手術が行われることを示す情報などについては、患者状態判定部１８は、患者が病室に居ないものと判断する。また、看護計画情報には看護が実施される日時情報が含まれているため、患者が病室に居る日時および患者が病室に居ない日時を特定することが可能となる。時計部１９は、現在時刻を示す現在時刻情報を生成するものである。
【００２４】
タイマー１３により計測された時間が所定の時間となるまでに、呼出特定部１４が再び呼出信号を入力していないと呼出判定部１５にて判定した場合に、親機制御部１１は、時計部１９から現在時刻情報を取得する。そして、取得した現在時刻情報により特定される時刻において、患者が病室に居ると患者状態判定部１８にて判断した場合には、親機制御部１１は、擬似呼出信号生成部１６を動作させる。そして、親機制御部１１は、タイマー１３による時間の計測をリセットする。
【００２５】
一方、取得した現在時刻情報により特定される時刻において、患者が病室に居ないと患者状態判定部１８にて判断した場合には、親機制御部１１は、擬似呼出信号生成部１６を動作させない。そして、親機制御部１１は、タイマー１３による時間の計測をリセットする。なお、本実施携帯では、親機制御部１１は、擬似呼出信号生成部１６の動作を停止することで、報知部１７による報知が行なわれないようにしているが、これに限定されない。例えば、親機制御部１１は、擬似呼出信号生成部１６の動作を停止することなく、報知部１７の動作を停止することで報知が行なわれないようにしても良い。
【００２６】
次に、本実施形態によるナースコールシステムの呼び出しの具体例を説明する。図３は、本実施形態によるナースコールシステムの呼び出しの一例を示す図である。ここで、予め設定される所定の時間は３時間である。まず、ナースコール子機４では、患者によって呼出操作部６が操作される。すると、呼出信号生成部７は、呼出信号を生成する。そして、子機制御部５は、呼出信号生成部７にて生成された呼出信号を子機インターフェース８によりナースコール親機１０に出力する。
【００２７】
ナースコール親機１では、親機インターフェース１２が呼出信号を入力する。また、親機制御部１１は、親機インターフェース１２に接続された外部の機器から看護計画情報を所定のタイミング（例えば、定期的や看護計画情報の更新時など）で取得する。また、親機制御部１１は、親機インターフェース１２にて入力した呼出信号を呼出特定部１４に出力する。呼出特定部１４は、呼出信号を入力し、タイマー１３を動作させる。すると、呼出判定部１５は、タイマー１３により計測された時間が所定の時間となるまでに、呼出特定部１４が再び呼出信号を入力するか否かを判定する。一方、親機制御部１１は、報知部１７を動作させて呼び出しの報知を実施する。
【００２８】
そして、２時間半が経過した時点で、ナースコール子機４では、患者によって呼出操作部６が再び操作される。すると、呼出信号生成部７は、呼出信号を生成する。そして、子機制御部５は、呼出信号生成部７にて生成された呼出信号を子機インターフェース８によりナースコール親機１０に出力する。
【００２９】
ナースコール親機１では、親機インターフェース１２が呼出信号を入力する。親機制御部１１は、親機インターフェース１２にて入力した呼出信号を呼出特定部１４に出力する。呼出特定部１４は、呼出信号を入力し、タイマー１３により計測されていた時間をリセットする。つまり、タイマー１３は、２時間半まで計測された時間をリセットし、最初から計測し直す。
【００３０】
すると、呼出判定部１５は、タイマー１３により計測された時間が所定の時間となるまでに、呼出特定部１４が呼出信号を入力するか否かを判定する。一方、タイマー１３により計測された時間が所定の時間となるまでに、呼出特定部１４が再び呼出信号を入力したと呼出判定部１５にて判定されたので、親機制御部１１は、報知部１７を動作させて呼び出しの報知を実施する。ここで、報知部１７は、通常の呼出信号による呼び出しの報知を行う。
【００３１】
そして、呼出特定部１４が呼出信号を入力しないまま、タイマー１３により計測された時間が所定の時間である３時間になったと呼出判定部１５により判定された場合には、親機制御部１１は、時計部１９から現在時刻情報を取得する。同時に、患者状態判定部１８は、親機インターフェース１２が入力した看護計画情報を解析し、親機制御部１１が取得した現在時刻情報における現在時刻において、患者が病室に居るか否かを判定する。
【００３２】
患者が病室に居ると患者状態判定部１８にて判定した場合には、親機制御部１１は、擬似呼出信号生成部１６を動作させ、擬似呼出信号生成部１６は擬似呼出信号を生成する。一方、親機制御部１１は、タイマー１３により計測されていた時間をリセットする。つまり、タイマー１３は、３時間まで計測された時間をリセットし、最初から計測し直す。
【００３３】
すると、呼出判定部１５は、タイマー１３により計測された時間が所定の時間となるまでに、呼出特定部１４が呼出信号を入力するか否かを判定する。一方、親機制御部１１は、報知部１７を動作させて呼び出しの報知を実施する。ここで、報知部１７は、擬似呼出信号による呼び出しの報知を行う。
【００３４】
そして、呼出特定部１４が呼出信号を入力しないまま、タイマー１３により計測された時間が所定の時間である３時間になったと呼出判定部１５により判定された場合には、親機制御部１１は、時計部１９から現在時刻情報を取得する。同時に、患者状態判定部１８は、親機インターフェース１２が入力した看護計画情報を解析し、親機制御部１１が取得した現在時刻情報における現在時刻において、患者が病室に居るか否かを判定する。
【００３５】
患者が病室に居ないと患者状態判定部１８にて判定した場合には、親機制御部１１は、擬似呼出信号生成部１６を動作させない。そして、親機制御部１１は、タイマー１３により計測されていた時間をリセットする。つまり、タイマー１３は、３時間まで計測された時間をリセットし、最初から計測し直す。すると、呼出判定部１５は、タイマー１３により計測された時間が所定の時間となるまでに、呼出特定部１４が呼出信号を入力するか否かを判定する。このとき、呼び出しの報知は行われない。
【００３６】
以上詳しく説明したように、本実施形態によれば、患者が呼出操作部６を操作して呼び出しを行うと、呼出信号を入力したナースコール親機１では、タイマー１３による時間の計測を開始する。タイマー１３により計測された時間が所定の時間となっても次の呼出信号が入力されなかった場合に、看護計画情報によって患者が病室に居ると判断されたときには、親機制御部１１は、擬似呼出信号による呼び出しの報知を報知部１７に行わせるとともに、タイマー１３による時間の計測をリセットするようにしている。一方、看護計画情報によって患者が病室に居ないと判断されたときには、親機制御部１１は、擬似呼出信号による呼び出しの報知を報知部１７に行わせない。このとき、親機制御部１１は、タイマー１３による時間の計測をリセットするようにしている。
【００３７】
これにより、患者による呼び出しが行われない場合でも、患者が病室に居るときには擬似的な呼び出しが行われるので、医療従事者は、呼び出しを行っていない患者の病室を訪問することで、患者へのケアを充実させることができる。また、患者による呼び出しが行われない場合に、患者が病室に居ないときには擬似的な呼び出しが行われないので、医療従事者が病室を無駄に訪問することが無くなる。従って、医療従事者の業務効率を向上させることができるとともに、患者に対しても充実したサービスを提供することができる。
【００３８】
なお、前述した実施形態では、所定の時間の長さを終日固定するようにしているが、これに限定されない。例えば、日中の所定の時間の長さを夜間の所定の時間の長さよりも短くするようにしても良い。
【００３９】
また、前述した実施形態では、所定の時間の長さを異なる日でも固定するようにしているが、これに限定されない。例えば、医療従事者の勤務形態によって所定の時間の長さを日毎に異ならせるようにしても良い。具体的には、勤務している医療従事者が多い場合には、所定の時間を短く設定し、勤務している医療従事者が少ない場合には、所定の時間を長く設定することにより、実現可能である。
【００４０】
また、前述した実施形態では、タイマー１３のリセットを手動で行うことはできなかったが、これに限定されない。例えば、医療従事者が巡視などを行って患者の様子を確認したような場合に、医療従事者がナースコール親機１に設けたリセットボタン（患者毎に備えられている）を押下することで、親機制御部１１はタイマー１３をリセットするようにしても良い。
【００４１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４２】
本発明は、病院などで患者が医療従事者を呼び出すナースコールシステムに有用である。
【図面の簡単な説明】
【００４３】
【図１】本実施形態によるナースコールシステムの構成例を示す図である。
【図２】本実施形態によるナースコールシステムの要部の構成例を示すブロック図である。
【図３】本実施形態によるナースコールシステムの呼び出しの一例を示す図である。
【符号の説明】
【００４４】
１    ナースコール親機
２    制御機
３    廊下灯
４    ナースコール子機
４ａ    壁埋込形子機
４ｂ    ハンド形子機
５    子機制御部
６    呼出操作部
７    呼出信号生成部
８    子機インターフェース
１１    親機制御部
１２    親機インターフェース
１３    タイマー
１４    呼出特定部
１５    呼出判定部
１６    擬似呼出信号生成部
１７    報知部
１８    患者状態判定部
１９    時計部
【図１】
2009285299.tif 000003
【図２】
2009285299.tif 000004
【図３】
2009285299.tif 000005